(57)【要約】【課題】  原稿台上の原稿がずれないように補助原稿押さえを主原稿押さえと原稿台の間に設けた場合でも原稿を原稿台に十分密着さえることのできる画像読取装置を提供する。【解決手段】  主原稿押さえの原稿押さえ面は補助原稿押さえに対して逃げた形状とすることで主原稿押さえを原稿台に密着させた際には、補助原稿押さえの厚みを十分確保した上で主原稿押さえを原稿に強く押し付けることだできる。【選択図】  図１
2006171293.tif 000002
【特許請求の範囲】
【請求項１】
原稿を載せる原稿台と、原稿台上に載せられた原稿を押さえる主原稿押さえと、原稿台と主原稿押さえの間に設けられた補助原稿押さえを有する画像読取装置において、
前記主原稿押さえの原稿押さえ面は補助原稿押さえを逃げた形状となっていることを特徴とする画像読取装置。
【請求項２】
前記原稿台には少なくとも一端縁に原稿を突き当てるスケールが設けられていて、このスケールのある縁近傍にスケールに沿って補助押さえが長尺状に設けられていることを特徴とする請求項１記載の画像読取装置。
【請求項３】
前記補助押さえには複数の穴が設けられていることを特徴とする請求項１記載の画像読取装置。
【請求項４】
前記主原稿押さえの原稿台への押し付け力は補助原稿押さえの押し付け力より高いことを特徴とする請求項１から３記載の画像読取装置。
【発明の詳細な説明】
【技術分野】
【０００１】
本発明は、本発明は画像読取装置に関し、特に原稿台に置かれた原稿の画像を読み取る機能を有する画像読取装置において主たる原稿を押さえと別に補助の原稿押さえを設けた画像読取装置に関する。
【背景技術】
【０００２】
図５に従来の画像読取装置２００の概略斜視図を示す。従来この種の画像読取装置においては、画像を読み取るための原稿Ｐを読み取る面を下側にして透明なガラスでできた原稿台２０１に載せ、原稿台２０１の二辺に設けられたスケール２０２に突き当てて原稿Ｐの位置決めを行い、原稿押さえ板２０３を閉めて原稿Ｐを原稿台２０１に密着させ、原稿台２０１の裏側から不図示の読取センサにより原稿Ｐの画像を読み取るものである。
【０００３】
ところが原稿Ｐがカールしていたり折れ癖がついていたりすると、原稿押さえ板２０３を閉めて原稿Ｐを原稿台２０１に押さえつける際に、原稿Ｐがずれて読み取った画像が傾いてしまうことがあった。
【０００４】
そこでこのような状態の発生を防ぐためにいくつかの提案がされている。例えば特許文献１に記載されている提案においては、原稿の大きさに応じて位置を変えることのできる長尺状の補助原稿押さえが設けられている。また特許文献２に記載されている提案においては、透明なシート状の補助押さえが設けられている。
【特許文献１】特開平０７−２７０９３７号公報
【特許文献２】特開平１０−３０７３４号公報
【発明の開示】
【発明が解決しようとする課題】
【０００５】
しかしながら、上述の従来の画像読取装置においては主原稿押さえの原稿を押さえる面が平らでかつ補助原稿押さえと重なっていたので補助原稿押さえの厚みによって主原稿押さえは原稿面に密着しなくなるという問題があった。そのためカールした原稿などでは原稿の原稿台への密着性が損なわれて読み取った画像の品質が劣化することになる。
【０００６】
反対に主原稿押さえの密着性を保とうとすると補助原稿押さえはなるべく薄くする必要があり、そうすると補助原稿押さえの原稿を押さえる能力が低くなり、補助原稿押さえから手を離して主原稿押さえが原稿を押さえるまでに原稿が浮き上がってずれが生じることとなる。
【０００７】
本発明の目的は、補助原稿押さえを設けて原稿のずれを防ぐとともに原稿の原稿台への密着性を保つ画像読取装置を提供することにある。
【課題を解決するための手段】
【０００８】
請求項１記載の発明は、原稿を載せる原稿台と、原稿台上に載せられた原稿を押さえる主原稿押さえと、原稿台と主原稿押さえの間に設けられた補助原稿押さえを有する画像読取装置において、
前記主原稿押さえの原稿押さえ面は補助原稿押さえを逃げた形状となっているので、主原稿押さえを原稿台もしくは原稿台上の原稿に密着させることができる。
【０００９】
請求項２記載の発明は、請求項１記載の発明において、前記原稿台には少なくとも一端縁に原稿を突き当てるスケールが設けられていて、このスケールのある縁近傍に補助押さえが設けられているので、原稿のスケールと反対側の縁を持つことができる。
【００１０】
請求項３記載の発明は、請求項１記載の発明において、前記補助押さえには複数の穴が設けられているので、補助原稿押さえが原稿台全面を覆う大きさで構成したとしてもこの穴を介して原稿に触り、原稿のずれを修正することができる。
【００１１】
請求項４記載の発明は、請求項１から３の発明において、前記主原稿押さえの原稿台への押し付け力は補助原稿押さえの押し付け力より高いこととしたので、原稿前面に亙って十分な押しつけ力を得られる。
【００１２】
本発明と従来例との違いをまとめると特開平０７−２７０９３７の原稿読取装置では、補助原稿押さえとしての長尺状の薄板を設け、その両端を固定する部材を設けている。主原稿押さえの押さえ面は均一な平面であり、補助原稿押さえを逃げる形態になっていないため補助原稿押さえの厚みによって主原稿押さえは原稿に密着していないことになる点が本発明と異なる。
【００１３】
また、特開平１０−３０７３４の原稿読取装置用原稿台では、透明で屈曲性のあるシートを補助押さえとして設け、この補助押さえシートに原稿のずれ防止の目印となるスケールメモリを設けている。補助押さえシートは薄いシート状のものなので実際には厚手でカールした用紙などは補助シートのみでは押さえきれず、原稿から手を離すと用紙は浮いてしまい主原稿押さえを密着させる過程で原稿がずれることがある。主原稿押さえに補助原稿押さえの逃げが無いことのほかに補助原稿押さえがシート状で十分な原稿押し付け力が得られない点が本発明と異なっている。
【発明の効果】
【００１４】
請求項１記載の発明は、原稿を載せる原稿台と、原稿台上に載せられた原稿を押さえる主原稿押さえと、原稿台と主原稿押さえの間に設けられた補助原稿押さえを有する画像読取装置において、前記主原稿押さえの原稿押さえ面は補助原稿押さえに対して逃げた形状となっているので、補助原稿押さえを厚みのあるものにすることができ、カールした原稿を押さえるのに十分な剛性を確保した上で、主原稿押さえの効果も保つことができる。
【００１５】
請求項２記載の発明は、請求項１記載の発明において、前記原稿台には少なくとも一端縁に原稿を突き当てるスケールが設けられていて、このスケールのある縁近傍にスケールに沿って補助押さえが長尺状に設けられているので、原稿のスケールと反対側を持つことができ、そのため原稿を押してスケールへ突き当てる操作がやりやすいものとなる。
【００１６】
請求項３記載の発明は、請求項１記載の発明において、前記補助押さえに複数の穴を設けたので、補助原稿押さえが原稿台全面を大きさであってもこの穴を介して原稿に触ることできる。よって重い補助原稿台による密着力と、原稿のずれを修正する操作性を両立することができる。
【００１７】
請求項４記載の発明は、請求項１から３記載の発明において、前記主原稿押さえの原稿台への押し付け力は補助原稿押さえの押し付け力より高いこととしたので、原稿前面に亙って十分な押しつけ力を得られる。よって読取情報の品質を高く保つことができる。
【発明を実施するための最良の形態】
【００１８】
本発明による画像読取装置をスキャナに応用した実施例について、図１〜図４を参照しながら詳細に説明する。
【００１９】
図１に示す１００は画像読取装置、いわゆるスキャナ、の概略斜視図である。１０１は画像読取装置本体であり、その上面に透明なガラスできた原稿台１０２および原稿台１０２の二辺縁には原稿Ｐを突き当てて位置決めするスケール１０３が設けられている。二辺縁とは図１中の右側と奥側である。１０４は主原稿押さえであり、ヒンジ部１０４ａを介して本体１０１に開平可能に支持されている。図１では開いた状態を示している。主原稿押さえ１０４と原稿台１０２の間には補助原稿押さえ１０５が設けられている。補助原稿押さえ１０５は主原稿押さえ１０４のヒンジ部１０４ａと同一軸上にヒンジ部１０５ａが設けられていて主原稿押さえ１０４と原稿台１０２の間で開閉可能に支持されている。なお本実施例では主原稿押さえ１０４と補助原稿押さえ１０５は同一軸上に軸支されているが、回転軸を平行に支持すれば軸線が多少ずれていてもかまわない。補助原稿押さえ１０５は長尺状のもので、前記スケール１０３近傍に沿って延びているのでＬ字型の形状となっている。補助原稿押さえ１０５がスケール１０３に接触すると原稿Ｐに接触しなくなり、補助原稿押さえ１０５がスケール１０３から離れるとその分原稿Ｐの端部を押せなくなる。そこで補助スケール１０５はスケール１０３に対して１〜５ｍｍ程度のわずかな隙間を設けた状態でスケール１０３に沿って原稿台１０２に密着するように設けられている。補助スケール１０５は二辺のうちどちらか一辺のみでもかまわないが二辺あるほうが原稿Ｐを押さえる効果がより高いものとなる。
【００２０】
主原稿押さえ１０４の原稿台１０２側の面には平な主原稿押さえ面１０４ｂと主原稿押さえ面１０４ｂから一段下がっている逃げ部１０４ｃが設けられている。逃げ部１０４ｃは補助原稿押さえ１０５を逃げる形状になっていて、主原稿押さえ１０４を閉じて原稿台１０２に密着させたときに、補助原稿押さえ１０５が主原稿押さえ１０４の逃げ部１０４ｃにはまり込んで、主原稿押さえ面１０４ｂと補助原稿押さえ１０５の押さえる面がほぼ同一面となる。このとき主原稿押さえ１０４が確実に原稿台１０２に密着するようにするために逃げ部１０４ｃの深さは補助原稿押さえ１０５の厚みより大きめに設定する。そこで原稿Ｐのセット時には補助原稿押さえ１０５で軽く原稿Ｐを押さえ、読み取り時には主原稿押さえ１０４で強く押さえつけるようになる。
【００２１】
また逃げ部１０４ｃの底面にスポンジや薄板ばねなどの弾性部材を設けておくと、主原稿押さえ１０４を原稿台１０２に密着させた際にこれら弾性部材を介して主原稿押さえ１０４が補助原稿押さえ１０５を押すように構成でき、主原稿押さえ１０４を原稿台１０２に押し付けた際には補助原稿押さえ１０５の押し付け力も増す。
【００２２】
主原稿押さえ１０４と補助原稿押さえ１０５は図３（ａ）の矢印Ａに示すようにその回転軸上においてガタを設けた結合をしている。図３は主原稿押さえ１０４と補助原稿押さえ１０５のヒンジ部の結合状態を説明するための模式的な斜視図である。ガタのため図３（ｂ）の矢印Ｂ方向に主原稿押さえを回転させても、嵌合部がつきあたる回転角度までは補助原稿押さえ１０５は動かない。図３（ｂ）に示す、突き当たる位置を過ぎると図３（ｃ）に示すように主原稿押さえ１０４を矢印Ｃ方向への回転につれて補助原稿押さえ１０５も矢印Ｄ方向に回転する。
【００２３】
このように構成された画像読取装置の操作について説明する。主原稿押さえ１０４のヒンジ部１０４ａから遠い端部を持って主原稿押さえ１０４を開くとき、ある程度まで開くと補助原稿押さえ１０５が少し開く。そこで原稿Ｐの画像を読み取りたい面を下側にして原稿台１０２に置き、原稿Ｐの端部をスケール１０３につきあてる。補助原稿押さえ１０５を透明な部材、例えば透明ＡＢＳなど作ると原稿Ｐがスケール１０３に突き当たっているかどうかが補助原稿押さえ１０５を透かして見えるのでさらに望ましい。そのまま原稿Ｐを保持しながら主原稿押さえ１０４を少し閉じると同時に補助原稿押さえ１０５も閉じて図２に示す状態になる。補助原稿押さえ１０５は少ししか開いていないので、補助原稿押さえ１０５が原稿を押さえている状態で主原稿押さえ１０４はまだ十分開いている。そこで補助原稿押さえ１０５が原稿Ｐを押さえるまで原稿Ｐを手で正しい位置に保持しておくことができる。また原稿Ｐを保持していなくてずれたとしても、ここでずれを修正することができる。
【００２４】
また補助原稿押さえ１０５によって原稿Ｐはスケール１０３近傍にのみを押さえているので、反対側は広く空いている。そこで原稿Ｐのこの空いている部分を持つことでスケール１０３に押し付ける行為がやりやすいものとなっている。
【００２５】
さらに主原稿押さえ１０４を閉じて原稿Ｐに密着させるとき、主原稿押さえ１０４には補助原稿押さえ１０５の逃げ部１０４ｃが設けられているので、補助原稿押さえ１０５に邪魔されること無く原稿Ｐを原稿台１０２に押し付けることができる。
【００２６】
次に図４を用いて本発明の第二の実施例について説明する。第一の実施例と同一の個所には同一の符号を付して説明を省略する。第二の実施例は原稿台全面を覆う補助原稿押さえ１１５に指が入る程度の穴１１５ｂを複数個設けたものである。そのため主原稿押さえ１１４の逃げ部１１４ｃも補助原稿押さえの穴１１５ｂに対応した形状になり、主原稿押さえ１１４の原稿押さえ面１１４ｂも複数個に分かれて主原稿押さえ１１４から島状に突き出たものとなっている。
【００２７】
本実施例でも補助原稿押さえ１１４を透明な部材とすれば、さらに好適である。
【００２８】
このように構成すると補助原稿押さえ１１５がさらに重くなるので原稿への押さえ性能がより向上する。
【００２９】
実施例はスキャナの形態で説明したが、本発明はスキャナに限るものではなく、原稿台に原稿を載せて画像を読み取る構成の画像読取装置を用いた構成であれば複写機やファクシミリなどのほかの形態においてもかまわないものである。
【図面の簡単な説明】
【００３０】
【図１】本発明による画像読取装置の一実施例を示す斜視図である。
【図２】第一実施例の動作を説明する斜視図である。
【図３】第一実施例のヒンジ部の構成を説明する模式的斜視図である。
【図４】本発明による画像読み取り装置の第２の実施例を示す斜視図である。
【図５】従来の画像読取装置を示す概略斜視図である。
【符号の説明】
【００３１】
１００  画像読取装置
１０１  本体
１０２  原稿台
１０３  スケール
１０４  主原稿押さえ
１０５  補助原稿押さえ
【図１】
2006171293.tif 000003
【図２】
2006171293.tif 000004
【図３】
2006171293.tif 000005
【図４】
2006171293.tif 000006
【図５】
2006171293.tif 000007